(57)【要約】【課題】かご本体内に乗った乗客が外方、とりわけ下方の景観を楽しむことができる観覧車の乗りかごを提供する。【解決手段】観覧車の乗りかご１は、かご本体１０と、かご本体１０の上部に設けられ回転アーム３に連結された支持軸２０と、かご本体１０内に設けられた座席２３とを備えている。かご本体１０は正面１０ａと、背面１０ｂと、一対の側面１０ｃ，１０ｄを有している。かご本体１０のうち、一対の側面１０ｃ，１０ｄの上部はステンレス製の天井部２７となっている。かご本体１０の他の部分は、ステンレス製の帯状フレーム１１，１６と、帯状フレーム１１，１６間のポリカーボネート材料１２，１７とからなっている。座席２３に座る乗客３０は、ポリカーボネート材料１２，１７を通して外方、とりわけ下方の景観を楽しむことができる。【選択図】  図１
2004201971.tif 000002
【特許請求の範囲】
【請求項１】
回転機構により駆動される観覧車の乗りかごにおいて、
かご本体と、
かご本体内に設けられ乗客が座る座席と、
かご本体上部に設けられ回転機構に連結された支持軸とを備え、
かご本体のうち、少なくとも座席より下方部分は帯状に延びる金属フレームと、この金属フレーム間に配置された透明材料とからなることを特徴とする観覧車の乗りかご。
【請求項２】
かご本体のうち、天井部分を除いた部分は帯状に延びる金属フレームと、この金属フレーム間に配置された透明材料とからなることを特徴とする請求項１記載の観覧車の乗りかご。
【請求項３】
金属フレームおよび天井部分はステンレス鋼製となっており、透明材料は、ポリカーボネート製となっていることを特徴とする請求項２記載の観覧車の乗りかご。
【請求項４】
かご本体内に床面が設けられ、この床面は透明材料からなることを特徴とする請求項１記載の観覧車の乗りかご。
【請求項５】
かご本体に金属製の扉枠が設けられ、この扉枠内に透明材料製の扉が配置されることを特徴とする請求項１記載の観覧車の乗りかご。
【請求項６】
座席は金属製の座席枠と、この座席枠に保持された透明材料とからなることを特徴とする請求項１記載の観覧車の乗りかご。
【請求項７】
かご本体は、支持軸に対して直交する正面および背面と、正面および背面の側方を覆う一対の側面とを有し、
正面に金属製の扉枠が設けられ、この扉枠内に透明材料製の扉が配置され、
かご本体内の背面に沿って座席が設けられていることを特徴とする請求項１記載の観覧車の乗りかご。
【請求項８】
回転機構により駆動される観覧車の乗りかごにおいて、
かご本体と、
かご本体内に設けられ乗客が座る座席と、
かご本体上部に設けられ回転機構に連結された支持軸とを備え、
かご本体の底部は、その少なくとも一部が帯状に延びる金属フレームと、この金属フレーム間に配置された透明材料とからなることを特徴とする観覧車の乗りかご。
【発明の詳細な説明】
【０００１】
【発明の属する技術分野】
本発明は観覧車の乗りかごに係り、とりわけ乗客が外部の景観、とくに下方の景観を楽しむことができる観覧車の乗りかごに関する。
【０００２】
【従来の技術】
従来より観覧車の乗りかごとして、回転アームに駆動されるとともに、乗客が座わる座席を有するものが知られている。このような乗りかごは、座席が設けられたかご本体と、かご本体を回転アームに連結する支持軸とを有し、かご本体には乗客が外方を見ることができるように四方に窓が設けられている。
【０００３】
【発明が解決しようとする課題】
上述のように、かご本体内の座席に座わる乗客は、かご本体の窓から外方を見ることができる。しかしながら、かご本体の下方は、鋼製囲体によって全面的に覆われているため、乗客は下方をみることはできず、全方位にわたって景観を楽しむことが求められている。
【０００４】
本発明はこのような点を考慮してなされたものであり、乗客がとりわけ下方の景観も楽しむことができる観覧車の乗りかごを提供することを目的とする。
【０００５】
【課題を解決するための手段】
本発明は、回転機構により駆動される観覧車の乗りかごにおいて、かご本体と、かご本体内に設けられ乗客が座る座席と、かご本体上部に設けられ回転機構に連結された支持軸とを備え、かご本体のうち、少なくとも座席より下方部分は帯状に延びる金属フレームと、この金属フレーム間に配置された透明材料とからなることを特徴とする観覧車の乗りかごである。
【０００６】
本発明は、かご本体のうち、天井部分を除いた部分は帯状に延びる金属フレームと、この金属フレーム間に配置された透明材料とからなることを特徴とする観覧車の乗りかごである。
【０００７】
本発明は、金属フレームおよび天井部分はステンレス鋼製となっており、透明材料は、ポリカーボネート製となっていることを特徴とする観覧車の乗りかごである。
【０００８】
本発明は、かご本体内に床面が設けられ、この床面は透明材料からなることを特徴とする観覧車の乗りかごである。
【０００９】
本発明は、かご本体に金属製の扉枠が設けられ、この扉枠内に透明材料製の扉が配置されることを特徴とする観覧車の乗りかごである。
【００１０】
本発明は、座席は金属製の座席枠と、この座席枠に保持された透明材料とからなることを特徴とする観覧車の乗りかごである。
【００１１】
本発明は、かご本体は、支持軸に対して直交する正面および背面と、正面および背面の側方を覆う一対の側面とを有し、正面に金属製の扉枠が設けられ、この扉枠内に透明材料製の扉が配置され、かご本体内の背面に沿って座席が設けられていることを特徴とする観覧車の乗りかごである。
【００１２】
本発明は、回転機構により駆動される観覧車の乗りかごにおいて、かご本体と、かご本体内に設けられ乗客が座る座席と、かご本体上部に設けられ回転機構に連結された支持軸とを備え、かご本体の底部は、その少なくとも一部が帯状に延びる金属フレームと、この金属フレーム間に配置された透明材料とからなることを特徴とする観覧車の乗りかごである。
【００１３】
【発明の実施の形態】
以下、図面を参照して本発明の実施の形態について説明する。図１乃至図５は、本発明による観覧車の乗りかごの一実施の形態を示す図である。
【００１４】
まず図５により観覧車の概略について説明する。
【００１５】
図５に示すように、観覧車は支柱２と、支柱２に支持されるとともに回転中心５を中心として回転する複数の回転アーム（回転機構）３と、各回転アーム３により保持されて駆動される乗りかご１とを備えている。
【００１６】
図５において、乗客３０（図１参照）は、乗降台６から各々の乗りかご１に対して乗降するようになっている。
【００１７】
次に本発明による乗りかご１について図１乃至図４により説明する。図１乃至図４に示すように、乗りかご１はかご本体１０と、かご本体１０内に設置され乗客３０が座る座席２３と、かご本体１０の上部に設けられ回転アーム３に連結された支持軸２０とを備えている。
【００１８】
また、かご本体１０のうち、支持軸２０より上方に、かご本体１０内の空調作用を行なう空調設備２１が設けられ、空調設備２１からのドレン管２１ａがかご本体１０の外面に沿って延びている。
【００１９】
次にかご本体１０について述べる。かご本体１０は支持軸２０に対して直交する正面１０ａおよび背面１０ｂと、正面１０ａおよび背面１０ｂの側方に設けられ、これら正面１０ａおよび背面１０ｂの側方を覆う一対の側面１０ｃ，１０ｄとを有している。
【００２０】
このようなかご本体１０は、全体として帯状に延びる金属フレーム、例えばステンレス鋼製のフレーム１１と、フレーム１１間に配置された透明材料、例えばポリカーボネート材料１２とからなっている。このため、かご本体１０内の乗客３０は、かご本体１０内から外方の景観を全方向にわたってみることができる。
【００２１】
かご本体１０について更に詳述する。かご本体１０の正面１０ａはハート形の外形を有し（図１参照）、また背面１０ｂもハート形の外形を有している（図３参照）。
【００２２】
このうち、かご本体１０の正面１０ａは、上述のように帯状に延びるステンレス鋼製のフレーム１１と、このフレーム１１間に延びるポリカーボネート材料１２とを有し、フレーム１１は正面１０ａの外周および内部に延びて正面１０ａの支持部材として機能する。また正面１０ａには、ステンレス鋼製の扉枠１３が設けられ、この扉枠１３には扉１５が開閉自在に取り付けられている。扉１５は、ステンレス鋼製の外周部１６と、この外周部１６内に設けられた透明材料、例えばポリカーボネート材料１７とを有し、乗客３０は、この扉１５のポリカーボネート材料１７を通して外方を見ることができる。
【００２３】
また扉１５の外周部１６には、キー１８が回動自在に設けられ、さらに扉枠１３にはキー１８が係合する係合部１９が設けられている。
【００２４】
さらに図２および図４に示すように、一対の側面１０ｃ，１０ｄの上部は、ステンレス鋼製の天井部分２７となっており、側面１０ｃ，１０ｄの他の部分はポリカーボネート材料１２によって覆われている。また一対の側面１０ｃ，１０ｄには、上方または下方へ摺動自在の透明ポリカーボネート製の摺動窓２７ａが設けられている。この摺動窓２７ａは側面１０ｃ，１０ｄに沿って摺動するとともに、摺動窓２７ａを上方または下方へ摺動させた場合、側面１０ｃ，１０ｄに開口を形成するようになっている。
【００２５】
この側面１０ｃ，１０ｄの開口には、乗客３０の安全性を考慮してステンレス鋼製の金網２６が嵌込まれている。
【００２６】
また、かご本体１０の背面１０ｂは、帯状に延びるステンレス鋼製のフレーム１１と、このフレーム１１間に延びるポリカーボネート材料１２とを有し、フレーム１１は背面１０ｂの外周および内部に延びて背面１０ｂの支持部材として機能する。
【００２７】
さらに図２に示すように、かご本体１０内の底部、すなわち側面１０ｃ，１０ｄの底部には、透明なポリカーボネート製底面２５が設けられ、さらにかご本体１０内のうち背面１０ｂ側に、この背面１２ｂに沿って乗客３０が座る座席２３が設置されている。座席２３はステンレス鋼製の帯状の座席枠２３ａと、この座席枠２３ａ間に延びる透明なポリカーボネート材料２３ｂとからなっている。
【００２８】
また、かご本体１０の側面１０ｃ，１０ｄの外周面には、夜間に点灯するシリコンランプ３２が設置されている。
【００２９】
このような構成からなる観覧車の乗りかご１０において、上述のようにかご本体１０の正面１０ａおよび背面１０ｂは、帯状に延びるステンレス鋼製のフレーム１１と、フレーム１１間に設けられた透明なポリカーボネート材料１２とからなっている。このうちフレーム１１は、正面１０ａおよび背面１０ｂの外周と内部に帯状に延びているため、座席２３に座った乗客３０は、フレーム１１間のポリカーボネート材料１２を通して外部をより良く見ることができる。
【００３０】
また、側面１０ｃ，１０ｄも上部のステンレス製天井部分２７を除いて、全体がポリカーボネート材料１２により覆われているため、乗客３０は側面１０ｃ，１０ｄのポリカーボネート材料を通して外部をより良く見ることができる。
【００３１】
さらに側面１０ｃ，１０ｄの底部には透明なポリカーボネート製の底面２５が設けられているので、乗客３０は、この底面２５および側面１０ｃ，１０ｄの底部を通して外部、とりわけ下方の観覧を楽しむことができる。
【００３２】
このように、本実施の形態によれば、かご本体１０は、側面１０ｃ，１０ｄの上部の天井部分２７を除いてステンレス製の帯状フレーム１１，１６と、この帯状フレーム１１，１６間に延びる透明なポリカーボネート材料１２，１７とからなっているので、乗客３０は略全方向にわたる外部の景観、とりわけ下方の景観を楽しむことができる。
【００３３】
なお、上記実施の形態において、天井部分２７を除いて、かご本体１０全体を帯状フレーム１１，１６と、ポリカーボネート材料１２，１７とから構成する例を示したが、かご本体１０のうち、少なくとも座席２３より下方部分をステンレス製の帯状フレームと、この帯状フレーム間のポリカーボネート材料とから構成して、下方の景観を楽しむようにしてもよい。この際、かご本体１０のうち座席２３より上方部分を、窓を有する囲い体で覆うことにより、この窓を通して外方をみることができる。
【００３４】
さらに、かご本体１０のうち、少なくとも座席２３に座る乗客３０の腰部３０ａより下方部分をステンレス製の帯状フレームと、この帯状フレーム間のポリカーボネート材料とから構成してもよく、この場合は下方の景観をより良く楽しむことができる。この際、かご本体１０の腰部３０ａより上方部分を窓を有する囲い体で覆うことにより、この窓を通して外方をみることができる。
【００３５】
また、かご本体１０の底部のうち、少なくとも一部をステンレス製の帯状フレームと、この帯状フレーム間のポリカーボネート材料とから構成してもよい。この際かご本体１０の他の部分を窓を有する囲い体で覆ってもよい。
【００３６】
【発明の効果】
以上のように本発明によれば、乗りかごのかご本体内に乗った乗客は、かご本体の下方部分に設けられた金属フレーム間の透明材料を通して外方、とりわけ下方の景観を楽しむことができる。
【図面の簡単な説明】
【図１】本発明による観覧車の乗りかごの一実施の形態を示す正面図。
【図２】本発明による観覧車の乗りかごの一実施の形態を示す側面図。
【図３】本発明による観覧車の乗りかごの一実施の形態を示す背面図。
【図４】乗りかごのかご本体の摺動窓を示す正面図。
【図５】観覧車の全体概略図。
【符号の説明】
１  乗りかご
１０  かご本体
１０ａ  正面
１０ｂ  背面
１０ｃ，１０ｄ  側面
１１  帯状フレーム
１２  ポリカーボネート材料
１３  扉枠
１５  扉
２０  支持軸
２１  空調設備
２３  座席
３０  乗客
【図１】
2004201971.tif 000003
【図２】
2004201971.tif 000004
【図３】
2004201971.tif 000005
【図４】
2004201971.tif 000006
【図５】
2004201971.tif 000007